(57)【特許請求の範囲】
【請求項１】
回転体を有する変速機構と、前記変速機構を収容する変速機ケースと、オイルを貯留するオイル貯留部とを備えた変速機であって、
前記変速機ケース内の底部近傍に配設されたオイルストレーナと、
前記オイル貯留部の内部空間と前記変速機ケースの内部空間との間を連絡する連絡部と、
前記連絡部を開閉するバルブと、
高車速走行状態において前記バルブを開放させるバルブ制御手段と、を備え、
前記オイル貯留部は、前記変速機ケースの周壁の上端部から下端部に向かって周方向に沿って連続するように、該周壁と一体に設けられ、
前記オイル貯留部は、前記変速機ケースの前記周壁の外面を構成する外壁部と、該外壁部の内側に間隔を空けて配置されて前記周壁の内面を構成する内壁部とを有する二重壁構造を備え、
前記オイル貯留部に、前記外壁部と前記内壁部とを一体に繋ぐ柱状の補強部が設けられていることを特徴とする変速機。
【請求項２】
前記変速機ケースは、前記変速機構の軸方向に沿って延びる筒状部材であることを特徴とする請求項１に記載の変速機。
【発明の詳細な説明】
【技術分野】
【０００１】
本発明は、オイル貯留部を備えた車両用の変速機に関する。
【背景技術】
【０００２】
車両に搭載される自動変速機は、クラッチやブレーキ等の油圧アクチュエータを有する変速機構を備え、前記油圧アクチュエータに対する油圧の給排が制御されることで、車両の運転状態に応じた変速段が適宜形成される。一方、手動変速機は、互いに平行な一対のシャフトと、これらのシャフト間を連絡する複数のギヤ列とを有する変速機構を備え、これらのギヤ列のうちいずれか１つがチェンジレバーの操作に応じて選択的に動力伝達状態となることで、所望の変速段が形成される。
【０００３】
自動変速機及び手動変速機のいずれにおいても、ギヤの噛み合い部やシャフトの軸受等には潤滑や冷却のためのオイルが適宜供給され、自動変速機では、油圧アクチュエータの油圧室やトルクコンバータに対するオイルの給排も行われる。一般に、変速機ケース内で潤滑や冷却に用いられたオイルは、変速機ケースの内面等を伝って自重によって流れ落ちることによって、油圧アクチュエータの油圧室やトルクコンバータから排出されたオイルは、変速機ケースやシャフト等に設けられたドレン用の油路を経由することによって、それぞれ変速機ケース内の底部へ導かれる。
【０００４】
このようにして変速機ケース内の底部に蓄積されたオイルの油面高さ（オイルレベル）は、車両の運転状態や油温等に応じて変動する。例えば、長時間停車している状態では、変速機ケース内のほとんどのオイルが底部に蓄積されることからオイルレベルは高くなり、車両走行中には、底部に蓄積されたオイルがギヤによって掻き上げられて変速機ケースの内面等に付着したり、潤滑や冷却又は油圧制御のための各部へのオイル供給量が多くなったりすることで、オイルレベルが低くなる傾向がある。また、油温が低いときには、高粘度のオイルが変速機ケースの内面等の各部に付着しやすく底部へ落下し難いことから、オイルレベルが低くなる傾向があり、油温が高いときには、オイルの体積が増大すると共に、低粘度のオイルが変速機ケースの内面等を伝って落下しやすくなることから、オイルレベルが高くなる傾向がある。
【０００５】
ところで、変速機ケース内の底部近傍にオイルストレーナが配設される場合、オイルストレーナによるエアの吸い込みを回避するためには、その吸い込み口が常にオイルに浸かる必要がある。そのため、オイルレベルが最も低くなるときでもエアの吸い込みが生じないように、変速機ケース内のオイル貯留量が設定される必要がある。
【０００６】
一方で、このようにオイル貯留量が設定されると、オイルレベルが高いときに、ギヤやクラッチドラム等の回転体が液面下に浸かる度合いが大きくなることから、回転体の回転抵抗が増大して、燃費性能等が低下する一因となる。
【０００７】
このような問題に対して、例えば特許文献１に開示されているように、変速機ケース内のオイルレベルよりも上方に、別のオイル貯留部を設ける技術が知られている。このようなオイル貯留部が設けられる場合、変速機ケース内のオイルレベルに応じて、変速機ケース底部に蓄積されたオイル又は上方のオイル貯留部内のオイルのいずれかを優先的に潤滑や油圧制御等に使用することで、変速機ケース内のオイルレベルの変動を抑制することができる。これにより、適切なオイルレベルが安定的に維持されることで、オイルストレーナによるエアの吸い込みを防止しつつ、回転抵抗の低減によって燃費性能の改善を図ることが可能となる。
【先行技術文献】
【特許文献】
【０００８】
【特許文献１】特開２００５−２７３８８０号公報
【発明の概要】
【発明が解決しようとする課題】
【０００９】
しかしながら、上記の特許文献１に開示されたようなオイル貯留部を設ける場合、変速機ケース内において、オイル貯留部を配設するための大きなスペースを確保する必要があることから、変速機ケース内に収容される各種部品のレイアウト自由度が低くなると共に、変速機全体の大型化及び重量化を招くことになり、変速機の大型化によって車両搭載性が悪化する。
【００１０】
また、この場合、オイル貯留部を形成するための部材と、該部材を変速機ケースに取り付けるためのブラケット等が必要になるため、変速機の部品点数及び組立工数が増加する問題もある。
【００１１】
そこで、本発明は、オイル貯留部を備えた変速機において、変速機ケース内における各種部品のレイアウト自由度の向上、変速機のコンパクト化及び軽量化、並びに部品点数及び組立工数の低減を図ることを課題とする。
【課題を解決するための手段】
【００１２】
前記課題を解決するため、本発明に係る変速機及びその製造方法は、次のように構成したことを特徴とする。
【００１３】
まず、本願の請求項１に記載の発明は、回転体を有する変速機構と、前記変速機構を収容する変速機ケースと、オイルを貯留するオイル貯留部とを備えた変速機であって、
前記変速機ケース内の底部近傍に配設されたオイルストレーナと、
前記オイル貯留部の内部空間と前記変速機ケースの内部空間との間を連絡する連絡部と、
前記連絡部を開閉するバルブと、
高車速走行状態において前記バルブを開放させるバルブ制御手段と、を備え、
前記オイル貯留部は、前記変速機ケースの周壁の上端部から下端部に向かって周方向に沿って連続するように、該周壁と一体に設けられ、
前記オイル貯留部は、前記変速機ケースの前記周壁の外面を構成する外壁部と、該外壁部の内側に間隔を空けて配置されて前記周壁の内面を構成する内壁部とを有する二重壁構造を備え、
前記オイル貯留部に、前記外壁部と前記内壁部とを一体に繋ぐ柱状の補強部が設けられていることを特徴とする。
【００１５】
なお、本明細書において、「柱状の補強部」には、外壁部から内壁部にかけて直線状に延びるものに限らず、例えば、異なる方向に延びる複数の柱状部を二次元的又は三次元的に繋げたものなど、屈曲部や湾曲部を有するものも含まれるものとする。
【００１６】
請求項２に記載の発明は、前記請求項１に記載の発明において、
前記変速機ケースは、前記変速機構の軸方向に沿って延びる筒状部材であることを特徴とする。
【００１８】
なお、本明細書において、「変速機ケースの内部空間」とは、変速機ケースの周壁の内面で囲まれた空間を意味する。
【発明の効果】
【００２３】
まず、請求項１に記載の発明に係る変速機によれば、変速機ケースの周壁の上端部から下端部に向かって周方向に沿って連続するように、該周壁と一体のオイル貯留部が設けられるため、周壁の厚み方向においてオイル貯留部をコンパクトに形成しつつ、変速機ケースの周壁の大きな面積を利用して、オイル貯留部の容量を十分に確保することができる。そのため、オイル貯留部を配設するための大きな空間を変速機ケース内に確保したり、変速機ケースの外側に大型のオイル貯留部を設けたりする必要がなく、これにより、変速機ケース内に配設される各種部品のレイアウト自由度を高めることができると共に、変速機の小型化及び軽量化を実現できる。
また、オイル貯留部の内部空間と変速機ケースの内部空間との間を連絡する連絡部がバルブによって開閉されることで、オイル貯留部の内部空間から変速機ケースの内部空間へのオイル供給を制御することが可能になる。この制御によって、変速機ケース内のオイルレベルを適宜調整することができ、これにより、オイルレベルの安定化を図ることができる。
特に、高車速走行状態では、バルブの開放によってオイル貯留部からのオイル供給を行うことで、変速機ケース内のオイルレベルを上昇させることにより、オイルストレーナの吸い込み口がオイルに浸かった状態を維持して、エアの吸い込みを防止することができる。
【００２４】
また、オイル貯留部は変速機ケースの周壁に一体に設けられるため、オイル貯留部を形成する部材やこれを変速機ケースに取り付けるためのブラケット等を用いる従来技術に比べて、部品点数及び組立工数を低減できる。
また、変速機ケースの周壁の少なくとも一部を、互いに間隔を空けて配置された外壁部と内壁部とを有する二重壁構造で構成することで、当該周壁部分を中空化してなるオイル貯留部を形成しつつ、該中空化された周壁部分に、外壁部と内壁部を一体に繋げる柱状の補強部が設けられることで、当該周壁部分の剛性を良好に確保することができる。
【００２６】
請求項２に記載の発明によれば、変速機構の軸方向に沿って延びる筒状の変速機ケースを、前記軸方向に沿った積層方向での三次元積層造形法によって形成することで、この造形中における変速機ケースの変形が抑制され、これにより、変速機ケース及びオイル貯留部を精度よく形成することができる。
【図面の簡単な説明】
【００３３】
【図１】本発明の一実施形態に係る変速機を車体後方側から見た図である。
【図２】同変速機の内部構造を概略的に示す図１のＡ−Ａ線断面図である。
【図３】同変速機を示す図２のＢ矢視図である。
【図４】停車状態における同変速機の内部を示す図２と同様の断面図である。
【図５】車両走行状態における同変速機の内部を示す図２と同様の断面図である。
【図６】オイル貯留部の内部を厚み方向から見た拡大断面図である。
【図７】三次元積層造形法によって一体に形成される変速機ケースのケース本体、オイル貯留部、バルブボディ、ピストンシリンダ及びサポート部を示す一部破断側面図である。
【図８】オイル貯留部の構造の変形例を示す斜視図及び断面図である。
【発明を実施するための形態】
【００３４】
以下、添付図面を参照しながら、本発明の実施形態に係る変速機の構成について説明する。
【００３５】
図１は、本実施形態に係る変速機を車体後方側から見た図、図２は、同変速機の内部構造を概略的に示す図１のＡ−Ａ線断面図、図３は、同変速機を示す図２のＢ矢視図である。なお、図２では、発明の理解を容易にするために変速機構の図示が省略されている。
【００３６】
［変速機の全体構成］
図１〜図３に示すように、本実施形態に係る変速機は、例えば、フロントエンジンフロントドライブ車等のエンジン横置き式自動車に適用される自動変速機１であり、車体幅方向に延びる軸心を有する変速機構（図示せず）を収容する変速機ケース２を備えている。なお、図示は省略するが、車体幅方向における自動変速機１の例えば右側には、エンジン等の駆動源が配設されている。
【００３７】
図２に示すように、自動変速機１の変速機構は、その軸心に沿って延びる入力軸１４と、該入力軸１４と同一軸線上に配置された出力部としてのカウンタドライブギヤ１８とを備えている。入力軸１４は、例えば、トルクコンバータの出力部であるタービンシャフト（図示せず）と一体に構成されており、トルクコンバータを介して駆動源に連結されている。
【００３８】
また、自動変速機１は、前記カウンタドライブギヤ１８に噛み合うカウンタドリブンギヤ９３が設けられたカウンタ軸９２を更に備えている。カウンタ軸９２は、入力軸１４よりも車体後方側において、入力軸１４と平行に配置されている。カウンタ軸９２には、更に、カウンタドリブンギヤ９３よりも小径のファイナルドライブギヤ９４が設けられている。
【００３９】
車軸９６は、カウンタ軸９２の車体後方側の斜め下方に配設されており、該車軸９６と同一軸線上に配設された差動装置（図示せず）のデフリングギヤ９５に前記ファイナルドライブギヤ９４が噛み合っている。デフリングギヤ９５はファイナルドライブギヤ９４よりも大径であり、これにより、変速機構の出力回転は減速されて差動装置に伝達され、該差動装置に入力された動力は、走行状況に応じた回転差となるように左右の車軸９６に伝達される。
【００４０】
なお、変速機構は、入力軸１４の軸線上にクラッチやブレーキ等の摩擦締結要素を複数備え、油圧制御装置による油圧制御によって摩擦締結要素が選択的に締結されることで、シフトレンジや車両の運転状態に応じた変速段が形成される。
【００４１】
図１〜図３に示すように、変速機ケース２は、外周囲を構成するケース本体３と、ケース本体３の反駆動源側（左側）の開口端部を閉塞するエンドカバー５とを有する。ケース本体３は、変速機構の軸方向（入力軸１４及びカウンタ軸９２の軸方向）に沿って延びる筒状部材であり、変速機構を取り囲むように配置される。また、ケース本体３の駆動源側（右側）の開口端部の合わせ面３ｂには、トルクコンバータを収容するコンバータハウジング６が結合されている。
【００４２】
図２及び図３に示すように、変速機ケース２のケース本体３には、油圧制御装置のバルブボディ１００、変速機構を構成するブレーキのピストンシリンダ１０８、及び後述のオイル貯留部３０が三次元積層造形法によって一体に形成されている。これにより、部品点数及び組立工数の低減、並びに、自動変速機１全体の小型化及び軽量化が図られている。
【００４３】
図２に示すように、変速機ケース２内の底部近傍にはオイルストレーナ２０が配設されている。オイルストレーナ２０の下面は、変速機ケース２の底部に近接して対向配置されており、該オイルストレーナ２０の下面に吸い込み口２２が設けられている。オイルストレーナ２０の上部には吐出口２４が設けられており、吐出口２４は、後述のバルブボディ１００の油路に連絡されている。オイルポンプ（図示せず）が駆動されると、変速機ケース２内の底部に溜まったオイルが吸い込み口２２からオイルストレーナ２０内に導入され、該オイルストレーナ２０内に設けられたフィルタによって異物が除去された後、吐出口２４からバルブボディ１００の油路へ導かれる。
【００４４】
［油圧制御装置のバルブボディ］
図２及び図３に示すように、バルブボディ１００は、変速機構の軸方向に沿って延びる概ね筒状の全体形状を有し、変速機構を取り囲むように配置される。
【００４５】
バルブボディ１００には、その内周面１００ａから径方向内側に突出するようにピストンシリンダ１０８が一体に連なっている。ピストンシリンダ１０８は、バルブボディ１００の内周面から径方向内側に延びる環状の縦壁部１０４と、該縦壁部１０４の内周側端部から反駆動源側へ軸方向に延びる内側筒部１０６とで構成されており、軸方向の反駆動源側に開放した周溝状に形成されている。このピストンシリンダ１０８内には、変速機構のブレーキのピストン（図示せず）が収容されて油圧室（図示せず）が形成される。
【００４６】
また、バルブボディ１００には、ソレノイドバルブ１５０やスプールバルブ１６０が装着される複数のバルブ挿入穴１２０と、これらのバルブ挿入穴１２０に連絡される油路１１０とが設けられている。
【００４７】
バルブ挿入穴１２０に連絡される油路１１０は、三次元積層造形法によるバルブボディ１００の造形によって形成されるため、従来のように金型を用いた成形によって油路が形成される場合に比べて、油路１１０の向き、配置、断面形状、個数等、具体的な油路１１０の構成に関しては高い設計自由度が得られる。そのため、例えば、大部分の油路１１０をバルブボディ１００の形状に合わせて周方向に延びるように形成することで、バルブボディ１００を径方向にコンパクトに形成することが可能になる。
【００４８】
バルブ挿入穴１２０は、三次元積層造形法によるバルブボディ１００の造形時に下穴が形成された後、その下穴の内周面に仕上げ加工が施されることで形成される。ただし、三次元積層造形法による造形時にバルブボディ１００に下穴を形成せずに、造形後に行われる機械加工のみによってバルブ挿入穴１２０を形成してもよい。
【００４９】
バルブ挿入穴１２０は、バルブボディ１００の内周面１００ａに沿って周方向に間隔を空けて配置されている。全てのバルブ挿入穴１２０は、変速機構の軸方向に延びるように形成されており、軸方向の駆動源側に開口している。これにより、バルブ挿入穴１２０の内周面を仕上げ加工するとき、全てのバルブ挿入穴１２０に対して同じ方向から加工を行うことができると共に、バルブ挿入穴１２０にバルブ１５０，１６０を取り付けるとき、全てのバルブ１５０，１６０を同じ方向から差し込むことができる。
【００５０】
ソレノイドバルブ１５０及びスプールバルブ１６０は、バルブボディ１００の油路１１０などと共に油圧制御回路（図示せず）を構成している。該油圧制御回路は、ソレノイドバルブ１５０やスプールバルブ１６０の動作によって、変速機構を構成する摩擦締結要素の油圧室、変速機構におけるギヤの噛み合い部分や軸受部分等といった変速機ケース２内の被潤滑部、及び、トルクコンバータの各部等に対するオイルの給排を制御する。
【００５１】
ソレノイドバルブ１５０としては、リニアソレノイドバルブ又はオンオフソレノイドバルブが用いられる。リニアソレノイドバルブは、例えば、摩擦締結要素の油圧室に供給される油圧を直接的に制御するバルブとして用いられ、オンオフソレノイドバルブは、例えば、スプールバルブ１６０の制御ポートへの油圧供給経路を開閉するバルブとして用いられる。
【００５２】
スプールバルブ１６０は、例えば、機械式オイルポンプの吐出圧をライン圧に調整する調圧レギュレータバルブ、運転者によるシフトレバーの操作に連動して油圧供給経路を切り換えるマニュアルバルブ、ソレノイドバルブ１５０の故障時に所定の変速段を実現するように油圧供給経路を切り換えるフェールセーフバルブ等、種々の切換バルブとして機能し得る。
【００５３】
また、バルブボディ１００には、オイルストレーナ２０の吐出口２４から吐出されたオイルを導入するための導入用油路１８０が設けられている。導入用油路１８０は、例えば、吐出口２４と調圧レギュレータバルブ等のスプールバルブ１６０の入力ポートとを繋ぐようにバルブボディ１００に形成されている。
【００５４】
なお、バルブボディ１００には、更に、チェックバルブ、オリフィス等、油圧制御回路を構成するその他の構成要素が一体に設けられてもよい。また、チェックバルブやオリフィス等がバルブボディ１００とは別の部品で構成される場合、当該別部品が装着される穴等の被装着部がバルブボディ１００に設けられるようにしてもよい。
【００５５】
［オイル貯留部］
図２に示すように、上記の油圧制御装置による油圧制御によって油圧室等からドレンされたオイルや、変速機ケース２内での潤滑や冷却に用いられたオイルは、バルブボディ１００の油路１１０や、入力軸１４、カウンタ軸９２、エンドカバー５等に設けられた油穴（図示せず）等を経由したり、ケース本体３の周壁３ａの内面３ｅ等を伝って流れ落ちたりすることで、変速機ケース２内の底部に導かれ、これにより、変速機ケース２内の底部にオイルが蓄積される。このように、変速機ケース２内の底部は、オイルを貯留するオイル貯留部として機能し、変速機ケース２内の底部に溜まったオイルが、オイルストレーナ２０及び油圧制御装置を経由して各部へ供給される。
【００５６】
本実施形態に係る自動変速機１は、変速機ケース２内の底部とは別のオイル貯留部３０を更に備えている。このオイル貯留部３０は、変速機ケース２のケース本体３の周壁３ａの一部に、該周壁３ａと一体に設けられている。
【００５７】
具体的には、例えば、周壁３ａにおける車体前方側に配置される断面半円状部分に、オイル貯留部３０が周方向に連続するように設けられている。また、図３において領域Ｔで示される周壁３ａ部分において、オイル貯留部３０は車体幅方向に連続するように設けられている。つまり、オイル貯留部３０が設けられる領域Ｔは、車体前方側から見える周壁３ａ部分において、車体幅方向における周壁３ａの大部分の範囲に亘り、且つ、車体上下方向における周壁３ａの上端部から下端近傍部に至る範囲に亘る領域とされている。
【００５８】
ただし、周壁３ａにおいてオイル貯留部３０が設けられる領域は、これに限定されるものでなく、任意に変更可能である。また、周壁３ａの全体にオイル貯留部３０が設けられたり、周壁３ａにおける複数の領域にオイル貯留部３０が分割されて設けられたりしてもよい。
【００５９】
図２に示すように、オイル貯留部３０は周壁３ａの一部を構成している。オイル貯留部３０が設けられた周壁３ａ部分では、周壁３ａの厚み方向に間隔を空けて配置された外壁部３１と内壁部３２とを有する二重壁構造とされている。オイル貯留部３０において、外壁部３１は周壁３ａの外面３ｄを構成し、内壁部３２は、周壁３ａの内面３ｅを構成している。つまり、オイル貯留部３０は、周壁３ａの外面３ｄと内面３ｅとの間に設けられている。
【００６０】
このように、周壁３ａの一部が、互いに間隔を空けて配置された外壁部３１と内壁部３２とで構成されることで、当該周壁３ａ部分を中空化してなるオイル貯留部３０が形成され、これにより、外壁部３１と内壁部３２との間にオイル収容空間Ｓが形成されている。
【００６１】
外壁部３１と内壁部３２とは互いに近接して配置されており、これにより、オイル貯留部３０の厚みの低減が図られている。また、オイル貯留部３０は、上記のように周壁３ａの広範囲に亘って形成されていることから、外壁部３１と内壁部３２との間隔を小さくしても、大きなオイル収容空間Ｓを形成することができる。
【００６２】
外壁部３１の下端部と内壁部３２の下端部とは、底壁部３３を介して一体に繋がっている。底壁部３３は、オイル収容空間Ｓの底面を構成するものである。底壁部３３は、例えば、オイルストレーナ２０の吸い込み口２２よりも上側に配置されている。
【００６３】
なお、外壁部３１の車体幅方向両端部と内壁部３２の車体幅方向両端部とは、それぞれ側壁部（図示せず）を介して一体に繋がっており、これらの側壁部によってオイル収容空間Ｓの側面が構成されている。
【００６４】
また、オイル貯留部３０に、外壁部３１と内壁部３２とを一体に繋ぐ複数の柱状の補強部３４が設けられている。補強部３４は、例えば、外壁部３１から内壁部３２にかけて厚み方向に沿って直線状に延びるように設けられている。図６に示すように、複数の補強部３４は、周壁３ａの軸方向及び周方向に互いに間隔を空けて配置されている。
【００６５】
オイル貯留部３０では、上記のようにして設けられた補強部３４によって外壁部３１と内壁部３２が一体に繋げられることで、特に厚み方向の外側からの荷重に対する剛性が高められている。また、このように外壁部３１と内壁部３２との間に補強部３４が介在しても、オイル貯留部３０に貯留されたオイルは、補強部３４を迂回するように蛇行しながら上方から下方へ流れ落ちることができる。
【００６６】
なお、補強部３４の構成は、外壁部３１と内壁部３２とを一体に繋げるものであれば上記のものに限定されるものでなく、種々の変更が可能である。
【００６７】
例えば、上記の補強部３４に代えて、図８（ａ）に示すオイル貯留部２３０のように、異なる４つの方向に延びる複数の柱状部２３５を三次元的に一体に繋げてなる補強部２３４が設けられてもよい。この場合、図８（ｂ）に示すように、補強部２３４の柱状部２３５は、厚み方向から見てハニカム形状を構成するように配置される。このような補強部２３４を介して外壁部３１と内壁部３２を一体に繋げることで、周壁３ａの厚み方向、軸方向及び周方向のいずれの荷重に対しても、中空化されたオイル貯留部３０の剛性を良好に確保できる。
【００６８】
また、図示は省略するが、その他の例に係る補強部として、３つの異なる方向に延びる複数の柱状を二次元的に一体に繋げてなるメッシュ状のものが膜状に設けられてもよい。この場合、膜状の補強部は、周壁３ａの厚み方向に直交する方向に間隔を空けて複数設けられることが好ましい。
【００６９】
図２に示すように、オイル貯留部３０は、オイル収容空間Ｓにオイルを導入するための導入開口部３５，３６ａを備えている。具体的に、オイル貯留部３０は、例えば、その上端部に設けられた上側の導入開口部３５と、該導入開口部３６ａよりも下側に設けられた下側の導入開口部３６ａとを備えている。
【００７０】
上側の導入開口部３５は、オイル貯留部３０の上端開口で構成されており、車体後方側を向くように開口されている。下側の導入開口部３６ａは、内壁部３２の周方向中間部から厚み方向の内側に突出した突出部３２ａに設けられている。突出部３２ａには、上下方向に延びる油路３６が設けられており、該油路３６の上端が導入開口部３６ａとされ、油路３６の下端はオイル収容空間Ｓに連通されている。
【００７１】
これらの導入開口部３５，３６ａが設けられていることにより、変速機ケース２内のギヤ１８，９３，９４，９５やクラッチドラム１６等の回転体に付着したオイルが、これらの回転体から飛散するとき、飛散したオイルの一部を導入開口部３５，３６ａからオイル収容空間Ｓに効率よく導入することができる。
【００７２】
また、オイル貯留部３０には、バルブボディ１００の油路１１０に連通する導入開口部が更に設けられてもよく、この場合、バルブボディ１００の油路１１０からオイル収容空間Ｓへのオイルの導入を、油圧制御装置によって制御することが可能である。
【００７３】
さらに、オイル貯留部３０のオイル収容空間Ｓは、連絡用の油路１７０を介して変速機ケース２の内部空間、すなわち周壁３ａの内面で囲まれた空間に連絡されている。連絡用の油路１７０は、例えばバルブボディ１００に形成されている。連絡用の油路１７０の一端は、オイル貯留部３０の内壁部３２の下端近傍部に設けられた開口部（図示せず）を介して、オイル収容空間Ｓに連通し、連絡用の油路１７０の他端は、バルブボディ１００に設けられた吐出口１７２を介して、変速機ケース２の内部空間に連通している。
【００７４】
連絡用の油路１７０には、該油路１７０を開閉するバルブ１７４が設けられている。バルブ１７４は、例えば、バルブボディ１００に形成されたバルブ挿入穴（図示せず）に装着されている。
【００７５】
ただし、連絡用の油路１７０、吐出口１７２及びバルブ１７４は、オイル貯留部３０のオイル収容空間Ｓと変速機ケース２の内部空間とを連絡可能な構成である限り、必ずしもバルブボディ１００に設ける必要はない。
【００７６】
上記のように、オイル貯留部３０のオイル収容空間Ｓと変速機ケース２の内部空間とは連絡用の油路１７０を介して連通可能であり、連絡用の油路１７０はバルブ１７４によって開閉可能となっている。そのため、バルブ１７４の動作を制御することにより、オイル収容空間Ｓから変速機ケース２の内部空間へのオイル供給を制御できる。したがって、車両の運転状態や油温、変速機ケース２内のオイルレベルＬＶ１等に応じて、オイル収容空間Ｓから変速機ケース２の内部空間へのオイル供給を制御することで、変速機ケース２内のオイルレベルＬＶ１を適宜調整することができ、これにより、車両の運転状態や油温等に関わらず、オイルレベルＬＶ１の安定化を図ることができる。したがって、変速機ケース２内に収容される総オイル量を少なくすることが可能になり、これにより、自動変速機１の軽量化を図ることができる。
【００７７】
図４（ａ）には、停車状態で油温が低いときの変速機ケース２内の理想のオイルレベルＬＶ１とオイル貯留部３０内の実際のオイルレベルＬＶ２の具体例、図４（ｂ）には、停車状態で油温が高いときの変速機ケース２内の理想のオイルレベルＬＶ１とオイル貯留部３０内の実際のオイルレベルＬＶ２の具体例が示されている。
【００７８】
図４（ａ）及び図４（ｂ）に示す停車状態では、機械式オイルポンプが停止していることから、該オイルポンプによる潤滑油の供給を行えないため、差動装置において車軸９６を支持するベアリング９８がオイルに浸かることが好ましい。そのため、停車状態では、理想のオイルレベルＬＶ１はベアリング９８の下端よりも高く設定される。なお、油温が高いときは、膨張によってオイルの体積が比較的大きくなることから、油温が低いときに比べて、理想のオイルレベルＬＶ１が若干高く設定される。
【００７９】
したがって、停車状態において、変速機ケース２内のオイルレベルＬＶ１が理想よりも低いときは、バルブ１７４の開放によってオイル貯留部３０から変速機ケース２の内部空間にオイルを供給することで、オイルレベルＬＶ１を調整できる。このようなオイル供給を行うことにより、オイル貯留部３０内のオイルレベルＬＶ２は比較的低くなる。
【００８０】
なお、車両走行中には、回転体から飛散したオイルが変速機ケース２の周壁３ａの内面３ｅ等に付着しているが、停車状態が長時間続くと、大部分のオイルは落下して変速機ケース２内の底部に蓄積される。このようにオイルレベルＬＶ１が十分に高い停車状態では、オイル貯留部３０からのオイル供給を行う必要はない。
【００８１】
図５（ａ）には、車両が低車速で走行しているときの変速機ケース２内の理想のオイルレベルＬＶ１とオイル貯留部３０内の実際のオイルレベルＬＶ２の具体例、図５（ｂ）には、車両が高車速で走行しているときの変速機ケース２内の理想のオイルレベルＬＶ１とオイル貯留部３０内の実際のオイルレベルＬＶ２の具体例が示されている。
【００８２】
図５（ａ）及び図５（ｂ）に示すように、車両走行中には、デフリングギヤ９５の回転抵抗を低減するために、変速機ケース２内のオイルレベルＬＶ１は、デフリングギヤ９５の下端よりも低いことが望ましい。
【００８３】
一方で、車両走行中において、デフリングギヤ９５が変速機ケース２内の底部に溜まったオイルに浸かっているときは、デフリングギヤ９５によってオイルが掻き上げられて、変速機ケース２内の各部に付着することで、変速機ケース２内のオイルレベルＬＶ１は低くなりやすい。特に、油温が低くオイルの粘度が高いときは、変速機ケース２内の各部に付着したオイルが変速機ケース２内の底部へ落下し難く、オイルレベルＬＶ１が低下しやすくなる。
【００８４】
また、車両走行中において、オイル貯留部３０内には、ギヤ１８，９３やクラッチドラム１６等の回転体から飛散したオイルの一部が供給されることで、オイル貯留部３０内のオイルレベルＬＶ２は停車状態に比べて上昇する。
【００８５】
図５（ａ）に示す低車速走行状態では、デフリングギヤ９５によるオイルの掻き上げ量が比較的少ないのに対して、図５（ｂ）に示す高車速走行状態では、デフリングギヤ９５によるオイルの掻き上げ量が大きくなることで、オイルレベルＬＶ１が下がりすぎる可能性がある。この場合は、バルブ１７４の開放によってオイル貯留部３０からのオイル供給を行うことで、変速機ケース２内のオイルレベルＬＶ１を上昇させればよい。これにより、オイルストレーナ２０の吸い込み口２２がオイルに浸かった状態を維持して、エアの吸い込みを防止することができる。
【００８６】
［ケース本体の製造方法］
変速機ケース２のケース本体３は、３Ｄプリンタを用いて、オイル貯留部３０、バルブボディ１００及びピストンシリンダ１０８と三次元積層造形法によって一体に形成される。これにより、バルブ挿入穴１２０、油路１１０、オイル収容空間Ｓ等の空洞部を除いた全ての部分が一体に連なるように形成される。
【００８７】
三次元積層造形法における具体的なプリント方式は特に限定されないが、ケース本体３の材料としてアルミニウム等の金属を用いる場合は、例えば、敷き詰められた金属粉末の層の任意の位置に電子ビーム又はレーザを照射することで、該照射部分を焼結させて造形した後、次の層を敷き詰めるという動作を繰り返す粉末焼結積層造形法が採用され得る。
【００８８】
また、ケース本体３の材料として樹脂を用いる場合も、粉末焼結積層造形法を採用してもよいが、樹脂材料を用いる場合は、金属材料に比べて多くのプリント方式を採用することができ、例えばインクジェット方式等、ニーズに応じたプリント方式を採用すればよい。なお、ケース本体３を樹脂で形成する場合、変速機ケース２の剛性を高めるために、ケース本体３全体が金属製の筒状部材で被覆されるようにしてもよい。
【００８９】
図７に示すように、三次元積層造形法によるケース本体３の形成において、積層方向Ｄ１は上方に向かう方向であり、ケース本体３は、バルブボディ１００の軸心、バルブ挿入穴１２０の軸心、及びケース本体３の軸心が上下方向に沿って配置される姿勢で形成される。
【００９０】
ケース本体３の特にピストンシリンダ１０８の造形を安定的に行うために、造形中にピストンシリンダ１０８を下側から支持するサポート部１９９を、積層方向Ｄ１の下端から上方に延びるようにケース本体３と一体に形成することが好ましい。サポート部１９９は、例えば、積層方向Ｄ１の下端に形成される扁平な円柱部１９９ａと、該円柱部１９９ａから上方に延びる長尺の筒状部１９９ｂとで構成される。サポート部１９９は、例えば、縦壁部１０４を支持する部分に設けられる。
【００９１】
このようにケース本体３と一体にサポート部１９９が造形されるため、サポート部１９９よりも上側におけるピストンシリンダ１０８、バルブボディ１００及びオイル貯留部３０の造形は、サポート部１９９によって下側から支持された状態で安定的に行われ、これらを精度よく形成することができる。
【００９２】
また、バルブ挿入穴１２０は、三次元積層造形法の積層方向Ｄ１に平行な軸心に沿って形成されるため、バルブボディ１００の造形中に、バルブ挿入穴１２０の内周が変形することなく安定して形成される。そのため、バルブ挿入穴１２０を精度よく形成することができる。したがって、特にスプールバルブ用のバルブ挿入穴１２０においてスプールの円滑な移動を実現でき、これにより、応答性に優れた油圧制御を実現できる。
【００９３】
三次元積層造形法によるケース本体３の造形が終了すると、サポート部１９９は除去される。サポート部１９９の筒状部１９９ｂは、内部が空洞であることにより低剛性とされているため、サポート部１９９は容易に除去可能である。
【００９４】
その後、バルブ挿入穴１２０の内周面や端面、サポート部１９９と繋がっていた部分等に仕上げ加工が施されたり、ケース本体３の両端面に設けられるボルト穴のねじ切り加工が施されたりすることで、ケース本体３が完成する。
【００９５】
なお、サポート部１９９は必ずしも形成する必要はなく、特に樹脂材料を用いた造形を行う場合、採用するプリント方式（例えば粉末焼結積層造形法）によっては、サポート部１９９を省略することが可能である。
【００９６】
以上のように、上述したオイル貯留部３０が三次元積層造形法によってケース本体３の周壁３ａと一体に形成されることで、該周壁３ａの一部にオイル貯留部３０が形成されるため、周壁３ａの厚み方向においてオイル貯留部３０をコンパクトに形成しつつ、周壁３ａの大きな面積を利用して、オイル貯留部３０の容量を十分に確保することができる。そのため、オイル貯留部３０を配設するための大きな空間を変速機ケース２内に確保したり、変速機ケース２の外側に大型のオイル貯留部を設けたりする必要がなく、これにより、変速機ケース２内に配設される各種部品のレイアウト自由度を高めることができると共に、自動変速機１の小型化及び軽量化を実現できる。
【００９７】
また、オイル貯留部３０は周壁３ａに一体に設けられるため、オイル貯留部３０を形成する部材やこれを変速機ケース２に取り付けるためのブラケット等を用いる従来技術に比べて、部品点数及び組立工数を低減できる。
【００９８】
さらに、ケース本体３には、バルブボディ１００も一体に形成されるため、ケース本体３の一部がオイル貯留部３０及びバルブボディ１００として共用されることになり、変速機ケース、オイル貯留部及びバルブボディがそれぞれ別体として個別に形成される場合に比べて、これらの形成に用いられる材料が削減される。そのため、自動変速機１を全体的に小型化及び軽量化することができ、これにより、自動変速機１の車両搭載性及び車両の燃費性能が向上する。
【００９９】
以上、上述の実施形態を挙げて本発明を説明したが、本発明は上述の実施形態に限定されるものではない。
【０１００】
例えば、上述の実施形態では、ケース本体３及びオイル貯留部３０に対して、バルブボディ１００及びピストンシリンダ１０８も一体化する例を説明したが、本発明において、バルブボディ及びピストンシリンダは変速機ケースと別体であってもよい。
【０１０１】
また、上述の実施形態では、変速機ケース２内のオイルレベルＬＶ１を調整するためのオイル貯留部３０を設ける例を説明したが、本発明において、オイル貯留部の用途は限定されるものでなく、例えば、潤滑に用いられるオイルを一時的に貯留するためのものであってもよい。
【０１０２】
さらに、以上の実施形態では、本発明を自動変速機に適用する場合について説明したが、本発明は手動変速機にも同様に適用可能である。
【産業上の利用可能性】
【０１０３】
以上のように、本発明によれば、オイル貯留部を備えた変速機において、変速機ケース内における各種部品のレイアウト自由度の向上、変速機のコンパクト化及び軽量化、並びに部品点数及び組立工数の低減を図ることが可能となるから、この種の変速機及びこれを搭載した車両の製造産業分野において好適に利用される可能性がある。
【符号の説明】
【０１０４】
１          自動変速機
２          変速機ケース
３          ケース本体
３ａ        ケース本体の周壁
３ｂ        コンバータハウジングとの合わせ面
３ｄ        周壁の外面
３ｅ        周壁の内面
５          エンドカバー
６          コンバータハウジング
１４        入力軸
１６        クラッチドラム
１８        カウンタドライブギヤ
２０        オイルストレーナ
２２        吸い込み口
３０        オイル貯留部
３１        外壁部
３２        内壁部
３３        底壁部
３４        補強部
３５        導入開口部
３６ａ      導入開口部
９２        カウンタ軸
９３        カウンタドリブンギヤ
９４        ファイナルドライブギヤ
９５        デフリングギヤ
９６        車軸
９８        ベアリング
１００      バルブボディ
１０４      縦壁部
１０６      内側筒部
１０８      ピストンシリンダ
１１０      油路
１２０      バルブ挿入穴
１５０      ソレノイドバルブ
１６０      スプールバルブ
１７０      連絡用の油路
１７２      吐出口
１７４      バルブ
１９９      サポート部
２３０      オイル貯留部
２３４      補強部
２３５      柱状部
Ｓ          オイル収容空間
【図１】
0006493124.tif 000002
【図２】
0006493124.tif 000003
【図３】
0006493124.tif 000004
【図４】
0006493124.tif 000005
【図５】
0006493124.tif 000006
【図６】
0006493124.tif 000007
【図７】
0006493124.tif 000008
【図８】
0006493124.tif 000009